(57)【要約】      （修正有）【課題】侵襲的心臓病学および電気生理学の分野における生理学的データ取得のためのインターフェースシステムを提供する。【解決手段】生理学的データ取得システムは、少なくとも１つのインターフェースモジュール８と、カテーテル３ａ、３ｂで記録された生理学的信号を受容するために少なくとも１つのインターフェースモジュールに通信可能に接続するように構成されたベースユニット６０とを含む。各インターフェースモジュールは、２つ以上の異なるパーソナリティモジュール１０ａ、１０ｂ、１０ｃの少なくとも第１のものをドック４０に嵌合することによって形成される。ドックは、２つ以上の異なるパーソナリティモジュールのいずれか１つのドックコネクタ２６ａ、２６ｂ、２６ｃに直接接続してそこから生理学的信号を受容するように構成されたマルチモーダル接続ポート４６ａ、４６ｂ、４６ｃを有する。【選択図】図１
2020022735.tif 000002
【特許請求の範囲】
【請求項１】
少なくとも１つのインターフェースモジュール（８）であって、各インターフェースモジュール（８）は、
２つ以上の異なるパーソナリティモジュール（１０、１０ａ、１０ｂ、１０ｃ、２１０、２１０ａ、２１０ａ’、２１０ｂ、３１０、３１０ａ、３１０ｂ、３１０ｃ）と嵌合するように構成されたドック（４０）であって、前記ドック（４０）は、前記２つ以上の異なるパーソナリティモジュール（１０、１０ａ、１０ｂ、１０ｃ、２１０、２１０ａ、２１０ａ’、２１０ｂ、３１０、３１０ａ、３１０ｂ、３１０ｃ）のいずれか１つのドックコネクタ（２６、２６ａ、２６ｂ、２６ｃ）に直接接続してそこから生理学的信号を受容するように構成されたマルチモーダル接続ポート（４６、４６ａ、４６ｂ、４６ｃ）を含むドック（４０）を備え、
前記２つ以上の異なるパーソナリティモジュール（１０、１０ａ、１０ｂ、１０ｃ、２１０、２１０ａ、２１０ａ’、２１０ｂ、３１０、３１０ａ、３１０ｂ、３１０ｃ）の第１のもの（１０ａ、３１０ａ）は、
カテーテル（３）の接続端部（５、５ａ、５ｂ）を受容してそこから生理学的信号を受容するように構成された第１のカテーテルコネクタ、
前記ドック（４０）の前記第１のマルチモーダル接続ポート（４６ａ）に接続してそこに前記生理学的信号を提供するように構成された第１のドックコネクタ（２６ａ）を含む、
少なくとも１つのインターフェースモジュール（８）と、
前記少なくとも１つのインターフェースモジュール（８）に通信可能に接続してそこから前記生理学的信号を受容するように構成されたベースユニット（６０）と
を備える、生理学的データ取得システム（１）。
【請求項２】
前記ドック（４０）が、ドックハウジング（４１）に収容され、前記パーソナリティモジュール（１０、１０ａ、１０ｂ、１０ｃ、２１０、２１０ａ、２１０ａ’、２１０ｂ、３１０、３１０ａ、３１０ｂ、３１０ｃ）が、パーソナリティモジュールハウジング（１１）に収容され、前記ドックハウジング（４１）および前記パーソナリティモジュールハウジング（１１）が、それらが共に嵌合して前記インターフェースモジュール（８）を形成するように対応する形状である、請求項１に記載の生理学的データ取得システム（１）。
【請求項３】
前記第１のカテーテルコネクタが、第１のカテーテルタイプ（３ａ）の前記接続端部（５ａ）を受容するように構成された専用のカテーテルコネクタであり、前記第１のカテーテルタイプ（３ａ）が、固定曲線カテーテル、マッピングカテーテル、操縦可能カテーテル、アブレーションカテーテル、またはマルチアレイカテーテルの１つである、請求項１に記載の生理学的データ取得システム（１）。
【請求項４】
前記ドック（４０）と嵌合するように構成された少なくとも第２のパーソナリティモジュール（１０ｂ、３１０ｂ）をさらに備え、前記第２のパーソナリティモジュール（１０ｂ、３１０ｂ）が、第２のカテーテルタイプ（３ｂ）の接続端部（５ｂ）を受容してそこから生理学的測定信号を受容するようにするように構成された第２のカテーテルコネクタを含み、前記第２のカテーテルタイプ（３ｂ）が、前記第１のカテーテルタイプ（３ａ）とは異なる前記固定曲線カテーテル、前記マッピングカテーテル、前記操縦可能カテーテル、アブレーションカテーテル、またはマルチアレイカテーテルの１つである、請求項３に記載の生理学的データ取得システム（１）。
【請求項５】
前記ドック（４０）が、一度に１つのパーソナリティモジュール（１０、１０ａ、１０ｂ、１０ｃ、２１０、２１０ａ、２１０ａ’、２１０ｂ、３１０、３１０ａ、３１０ｂ、３１０ｃ）のみを受容し、前記第１または第２のパーソナリティモジュール（１０ａ、１０ｂ、３１０ａ、３１０ｂ）のいずれかを交換可能に受容するように構成される、請求項４に記載の生理学的データ取得システム（１）。
【請求項６】
前記ドック（４０）が、前記少なくとも２つの異なるパーソナリティモジュール（１０ａ、１０ｂ、３１０ａ、３１０ｂ）と同時に嵌合するように構成され、
前記第１または第２の異なるパーソナリティモジュール（１０ａ、１０ｂ、３１０ａ、３１０ｂ）のいずれかを接続してそこから生理学的信号を受容するように構成された第２のマルチモーダル接続ポート（４６ｂ）であって、それにより前記２つの異なるパーソナリティモジュール（１０ａ、１０ｂ、３１０ａ、３１０ｂ）が前記第１または第２のマルチモーダル接続ポート（４６ａ、４６ｂ）のいずれかに交換可能に接続可能である第２のマルチモーダル接続ポート（４６ｂ）と、
前記２つの異なるカテーテルタイプ（３ａ、３ｂ）の両方から受容された前記生理学的信号を前記ベースユニット（６０）に伝達するように構成された伝達手段（５８）と
をさらに含む、請求項４に記載の生理学的データ取得システム（１）。
【請求項７】
前記第１のパーソナリティモジュール（１０ａ、３１０ａ）が、前記第１のカテーテルタイプ（３ａ）からの信号を処理するように構成された信号処理ユニット（１６、１６ａ、１６ｂ、４２）を備え、
前記信号処理ユニット（１６、１６ａ、１６ｂ、４２）が、前記生理学的信号をデジタル化して処理された生理学的データを生成し、前記第１のパーソナリティモジュール（１０ａ、３１０ａ）が、前記処理された生理学的データを前記ドック（４０）に提供する、
請求項３に記載の生理学的データ取得システム（１）。
【請求項８】
前記第１のパーソナリティモジュール（１０ａ、３１０ａ）が、前記第１のカテーテルタイプ（３ａ）からの信号を処理するように構成された信号処理ユニット（１６、１６ａ、１６ｂ、４２）を備え、前記信号処理ユニット（１６、１６ａ、１６ｂ、４２）が、前記第１カテーテルタイプ（３ａ）からの前記生理学的信号をフィルタリングしてフィルタリングされたアナログ信号を発生する、請求項３に記載の生理学的データ取得システム（１）。
【請求項９】
前記パーソナリティモジュール（１０、１０ａ、１０ｂ、１０ｃ、２１０、２１０ａ、２１０ａ’、２１０ｂ、３１０、３１０ａ、３１０ｂ、３１０ｃ）が、前記フィルタリングされたアナログ信号を前記ドック（４０）に提供し、
前記ドック（４０）が、前記第１のカテーテルタイプ（３ａ）からの前記信号をデジタル化して処理された生理学的データを生成するように構成された信号処理ユニット（１６、１６ａ、１６ｂ、４２）をさらに備え、前記ドック（４０）が、前記処理された生理学的データを前記ベースユニット（６０）に提供する、
請求項８に記載の生理学的データ取得システム（１）。
【請求項１０】
前記ドック（４０）と嵌合するように構成された少なくとも第２のパーソナリティモジュール（１０ｂ、３１０ｂ）をさらに備え、前記第２のパーソナリティモジュール（１０ｂ、３１０ｂ）が、１つまたは複数の生理学的センサの接続端部を受容してそこから生理学的測定信号を受容するように構成された生理学的モニタレシーバ（１２）を含み、前記センサが、ＥＥＧ電極または侵襲的血圧センサを含む、請求項３に記載の生理学的データ取得システム（１）。
【請求項１１】
前記ドック（４０）が、前記２つ以上の異なるパーソナリティモジュール（１０、１０ａ、１０ｂ、１０ｃ、２１０、２１０ａ、２１０ａ’、２１０ｂ、３１０、３１０ａ、３１０ｂ、３１０ｃ）のいずれか１つのパーソナリティモジュールハウジング（１１）と嵌合するように構成されたプラットフォーム（１４４）を有するドックハウジング（４１）を備える、請求項１に記載の生理学的データ取得システム（１）。
【請求項１２】
前記ドックハウジング（４１）が、前記プラットフォーム（１４４）上のまたは前記プラットフォーム（１４４）に隣接するトラック（１４６）をさらに備え、前記トラック（１４６）が、前記２つ以上の異なるパーソナリティモジュール（１０、１０ａ、１０ｂ、１０ｃ、２１０、２１０ａ、２１０ａ’、２１０ｂ、３１０、３１０ａ、３１０ｂ、３１０ｃ）のいずれか１つの前記パーソナリティモジュールハウジング（１１）のリップ（１１９）とスライド可能に係合するように構成される、請求項１１に記載の生理学的データ取得システム（１）。
【請求項１３】
前記プラットフォーム（１４４）が、前記２つ以上の異なるパーソナリティモジュール（１０、１０ａ、１０ｂ、１０ｃ、２１０、２１０ａ、２１０ａ’、２１０ｂ、３１０、３１０ａ、３１０ｂ、３１０ｃ）の少なくとも２つのハウジング（１１）と嵌合するように構成される、請求項１１に記載の生理学的データ取得システム（１）。
【請求項１４】
ドック（４０）と嵌合してインターフェースモジュール（８）を形成するように構成されたパーソナリティモジュール（１０、１０ａ、１０ｂ、１０ｃ、２１０、２１０ａ、２１０ａ’、２１０ｂ、３１０、３１０ａ、３１０ｂ、３１０ｃ）であって、
パーソナリティモジュールハウジング（１１）と、
前記パーソナリティモジュールハウジング（１１）上にあり、カテーテル（３）の接続端部（５、５ａ、５ｂ）を受容してそこから生理学的信号を受容するように構成されたカテーテルコネクタと、
前記パーソナリティモジュールハウジング（１１）上にあり、前記ドック（４０）のマルチモーダル接続ポート（４６、４６ａ、４６ｂ、４６ｃ）に直接接続してそこに前記生理学的信号を提供するように構成されたドックコネクタ（２６、２６ａ、２６ｂ、２６ｃ）と
を備え、
前記パーソナリティモジュールハウジング（１１）は、前記ドック（４０）のドックハウジング（４１）と係合し、前記ドック（４０）と取り外し可能に嵌合して前記インターフェースモジュール（８）を形成するように構成される、
パーソナリティモジュール（１０、１０ａ、１０ｂ、１０ｃ、２１０、２１０ａ、２１０ａ’、２１０ｂ、３１０、３１０ａ、３１０ｂ、３１０ｃ）。
【請求項１５】
前記パーソナリティモジュール（１０、１０ａ、１０ｂ、１０ｃ、２１０、２１０ａ、２１０ａ’、２１０ｂ、３１０、３１０ａ、３１０ｂ、３１０ｃ）が、第１のカテーテルタイプ（３ａ）の前記接続端部（５ａ）を受容するように構成された専用のカテーテルコネクタを有し、前記第１のカテーテルタイプ（３ａ）が、固定曲線カテーテル、マッピングカテーテル、操縦可能カテーテル、アブレーションカテーテル、またはマルチアレイカテーテルの１つである、請求項１４に記載のパーソナリティモジュール（１０、１０ａ、１０ｂ、１０ｃ、２１０、２１０ａ、２１０ａ’、２１０ｂ、３１０、３１０ａ、３１０ｂ、３１０ｃ）。
【請求項１６】
前記第１のパーソナリティモジュール（１０ａ、３１０ａ）が、前記第１のカテーテルタイプ（３ａ）からの信号を処理するように構成された信号処理ユニット（１６、１６ａ、１６ｂ、４２）を備え、前記信号処理ユニット（１６、１６ａ、１６ｂ、４２）が、前記生理学的信号をフィルタリングおよびデジタル化して処理された生理学的データを生成し、前記第１のパーソナリティモジュール（１０ａ、３１０ａ）が、前記ドックコネクタ（２６、２６ａ、２６ｂ、２６ｃ）と前記マルチモーダル接続ポート（４６、４６ａ、４６ｂ、４６ｃ）との間の前記直接接続を通して前記処理された生理学的データを前記ドック（４０）に提供する、請求項１５に記載のパーソナリティモジュール（１０、１０ａ、１０ｂ、１０ｃ、２１０、２１０ａ、２１０ａ’、２１０ｂ、３１０、３１０ａ、３１０ｂ、３１０ｃ）。
【請求項１７】
前記第１のパーソナリティモジュール（１０ａ、３１０ａ）が、前記第１のカテーテルタイプ（３ａ）からの前記生理学的信号をフィルタリングしてフィルタリングされたアナログ信号を発生するように構成された信号処理ユニット（１６、１６ａ、１６ｂ、４２）を備え、前記パーソナリティモジュール（１０、１０ａ、１０ｂ、１０ｃ、２１０、２１０ａ、２１０ａ’、２１０ｂ、３１０、３１０ａ、３１０ｂ、３１０ｃ）が、前記フィルタリングされたアナログ信号を前記ドック（４０）に提供する、請求項１５に記載のパーソナリティモジュール（１０、１０ａ、１０ｂ、１０ｃ、２１０、２１０ａ、２１０ａ’、２１０ｂ、３１０、３１０ａ、３１０ｂ、３１０ｃ）。
【請求項１８】
第１のインターフェースモジュール（８）であって、
少なくとも１つのパーソナリティモジュール（１０、１０ａ、１０ｂ、１０ｃ、２１０、２１０ａ、２１０ａ’、２１０ｂ、３１０、３１０ａ、３１０ｂ、３１０ｃ）と嵌合するように構成された第１のドック（４０）であって、前記第１のドック（４０）は、
第１のドックハウジング（４１）と、
前記第１のドックハウジング（４１）上にあり、前記パーソナリティモジュール（１０、１０ａ、１０ｂ、１０ｃ、２１０、２１０ａ、２１０ａ’、２１０ｂ、３１０、３１０ａ、３１０ｂ、３１０ｃ）に接続してそこから生理学的信号を受容するように構成された第１のマルチモーダル接続ポート（４６ａ）と
を有する第１のドック（４０）、および
少なくとも第１のパーソナリティモジュール（１０ａ、３１０ａ）であって、
第１のパーソナリティモジュールハウジング（１１）と、
前記第１のパーソナリティモジュールハウジング（１１）上の第１のカテーテルコネクタであって、前記第１のカテーテルコネクタは、第１のカテーテルタイプ（３ａ）の接続端部（５ａ）を受容してそこから生理学的信号を受容するように構成された第１のカテーテルコネクタと、
前記第１のパーソナリティモジュールハウジング（１１）上の第１のドックコネクタ（２６ａ）であって、前記第１のドックコネクタ（２６ａ）は、前記第１のドック（４０）の前記第１のマルチモーダル接続ポート（４６ａ）に接続してそこに前記生理学的信号を提供するように構成された第１のドックコネクタ（２６ａ）と
を含み、
前記第１のドックハウジング（４１）および前記第１のパーソナリティモジュールハウジング（１１）は、それらが共に嵌合して前記第１のインターフェースモジュール（８）を形成するように対応する形状である
少なくとも第１のパーソナリティモジュール（１０ａ、３１０ａ）
を備える第１のインターフェースモジュール（８）と、
第２のインターフェースモジュール（８）であって、
少なくとも１つのパーソナリティモジュール（１０、１０ａ、１０ｂ、１０ｃ、２１０、２１０ａ、２１０ａ’、２１０ｂ、３１０、３１０ａ、３１０ｂ、３１０ｃ）と嵌合するように構成された第２のドック（４０）であって、前記第２のドック（４０）は、
第２のドックハウジング（４１）と、
前記第２のドックハウジング（４１）上にあり、前記パーソナリティモジュール（１０、１０ａ、１０ｂ、１０ｃ、２１０、２１０ａ、２１０ａ’、２１０ｂ、３１０、３１０ａ、３１０ｂ、３１０ｃ）に接続してそこから生理学的信号を受容するように構成された第２のマルチモーダル接続ポート（４６ｂ）と
を有する第２のドック（４０）、および
少なくとも第２のパーソナリティモジュール（１０ｂ、３１０ｂ）であって、
第２のパーソナリティモジュールハウジング（１１）と、
前記第２のパーソナリティモジュールハウジング（１１）上の第２のカテーテルコネクタであって、前記第２のカテーテルコネクタは、第２のカテーテルタイプの接続端部を受容してそこから生理学的信号を受容するように構成された第２のカテーテルコネクタと、
前記第２のパーソナリティモジュールハウジング（１１）上の第２のドックコネクタ（２６ｂ）であって、前記第２のドックコネクタ（２６ｂ）は、前記第２のドック（４０）の前記第２のマルチモーダル接続ポート（４６ｂ）に接続してそこに前記生理学的信号を提供するように構成された第２のドックコネクタ（２６ｂ）と
を含み、
前記第２のドックハウジング（４１）および前記第２のパーソナリティモジュールハウジング（１１）は、それらが共に嵌合して前記第２のインターフェースモジュール（８）を形成するように対応する形状である
少なくとも第２のパーソナリティモジュール（１０ｂ、３１０ｂ）
を備える第２のインターフェースモジュール（８）と、
そこから前記生理学的信号を受容するために前記第１のインターフェースモジュール（８）および前記第２のインターフェースモジュール（８）に通信可能に接続するように構成されたベースユニット（６０）と
を備える、生理学的データ取得システム（１）。
【請求項１９】
前記第１および第２のドック（４０）上の前記第１および第２のマルチモーダル接続ポート（４６ａ、４６ｂ）が、同一であり、それにより前記第１のドック（４０）と前記第２のドック（４０）の両方が前記第１および前記第２のパーソナリティモジュール（１０ａ、１０ｂ、３１０ａ、３１０ｂ）のいずれかを交換可能に受容するように構成される、請求項１８に記載の生理学的データ取得システム（１）。
【請求項２０】
共に交換可能に嵌合して前記第１のインターフェースモジュール（８）または前記第２のインターフェースモジュール（８）を形成するように前記第１および第２のドックハウジング（４１）と対応する形状である第３のパーソナリティモジュールハウジング（１１）と、
前記第３のパーソナリティモジュールハウジング（１１）上の生理学的モニタコネクタであって、前記生理学的モニタコネクタが、１つまたは複数のセンサの接続端部を受容してそこから生理学的信号を受容するように構成される生理学的モニタコネクタと
を含む少なくとも第３のパーソナリティモジュール（１０ｃ、３１０ｃ）をさらに備える、請求項１８に記載の生理学的データ取得システム（１）。
【発明の詳細な説明】
【技術分野】
【０００１】
本開示は、一般に、信号取得システムに関し、より具体的には、侵襲的心臓病学および電気生理学の分野における生理学的データ取得のためのインターフェースシステムに関する。
【背景技術】
【０００２】
カテーテルは、カテーテルが利用される患者の様々な状態を評価するために、ますます多くの医療処置において使用されている。多くの異なる数および／または構成のカテーテルを特定の処置に利用することができるが、各処置について、使用中のすべてのカテーテルは、特定のカテーテルとの間で送受信される信号が記録またはマッピング装置によって正しく識別および表示されるように、記録またはマッピング装置に適切に接続されなければならない。
【０００３】
カテーテルは、記録またはマッピング装置と共に使用される、ピンボックスまたは他の適切なコネクタなどの入力モジュールに接続される。各カテーテルは、処置の実行中にカテーテルが配置される患者の特定の場所に対応するカテーテルモジュール上の具体的な場所またはポートに接続される。この場所またはポートはさらに、記録またはマッピング装置のスクリーン上の特定の信号ディスプレイと関連しているので、処置中、そのポートでカテーテルとの間で送受信される信号は、そのポートに対応するフィールド内のディスプレイに示される。
【０００４】
処置を実行するためのカテーテルの初期設定および接続中、多くの場合、１つまたは複数のカテーテルが誤ったポートに不注意に接続され、誤った信号が臨床医によって見られるディスプレイに表示されることがある。これは、少なくとも臨床医または他の個人にカテーテルの接続における誤った接続を確認することを要求するが、診断プロセス中に混乱を招く可能性もある。さらに、単一のカテーテルのみが使用され、カテーテルがピンボックス内に誤って載置されている状況では、欠陥のある電極、不良リード、および／または意図しない切断の決定は、基本的な生理学的器具を使用すれば比較的簡単である。しかしながら、この課題は、例えば、各々が最大３２個の別々のポートを有する、７つ以上の別々の入力モジュール、コネクタまたはピンボックスを含み得る複雑なマッピングカテーテルを使用する場合のように、最大２５６以上の個々の２ｍｍピン接続のカテーテル／リードセットが可能である心臓電気生理学において実行されるような複雑な患者研究において指数関数的に増加する。これらの状況では、正しく機能していないカテーテルの誤った載置は、臨床医の時間の著しい浪費、ディスプレイ上で正しい信号を得ることにおけるフラストレーション、および患者の生理学的信号の診断における混乱をもたらす可能性がある。
【先行技術文献】
【特許文献】
【０００５】
【特許文献１】米国特許出願公開第２０１７／００９５２８９号
【発明の概要】
【０００６】
この概要は、以下の詳細な説明でさらに説明される概念の選択を紹介するために提供される。この概要は、特許請求される主題の主要なまたは本質的な特徴を識別することを意図するものではなく、また、特許請求される主題の範囲を限定することにおける補助として使用されることを意図するものでもない。
【０００７】
一実施形態では、生理学的データ取得システムは、少なくとも１つのインターフェースモジュールと、カテーテルによって記録された生理学的信号を受容するために少なくとも１つのインターフェースモジュールに通信可能に接続するように構成されたベースユニットとを含む。各インターフェースモジュールは、２つ以上の異なるパーソナリティモジュールの少なくとも第１のものをドックに嵌合することによって形成される。ドックは、２つ以上の異なるパーソナリティモジュールのいずれか１つのドックコネクタに直接接続してそこから生理学的信号を受容するように構成されたマルチモーダル接続ポートを有する。第１のパーソナリティモジュールは、カテーテルの接続端部を受容してそこから生理学的信号を受容するように構成された第１のカテーテルコネクタと、ドックのマルチモーダル接続ポートに接続してそこに生理学的信号を提供するように構成された第１のドックコネクタとを含む。
【０００８】
別の実施形態では、パーソナリティモジュールは、ドックと嵌合してインターフェースモジュールを形成するように構成され、パーソナリティモジュールは、パーソナリティモジュールハウジングと、パーソナリティモジュールハウジング上にあり、カテーテルの接続端部を受容してそこから生理学的信号を受容するように構成されたカテーテルコネクタと、パーソナリティモジュールハウジング上にあり、ドックのマルチモーダル接続ポートに直接接続してそこに生理学的信号を提供するように構成されたドックコネクタとを含む。パーソナリティモジュールハウジングは、ドックのドックハウジングと係合し、ドックと取り外し可能に嵌合してインターフェースモジュールを形成するように構成される。
【０００９】
さらに別の実施形態では、生理学的データ取得システムは、そこから生理学的信号を受容するために第１のインターフェースモジュールおよび第２のインターフェースモジュールに通信可能に接続するように構成されたベースユニットを含む。第１のインターフェースモジュールは、少なくとも１つのパーソナリティモジュールと嵌合するように構成された第１のドックを有する。第１のドックは、第１のドックハウジングと、第１のドックハウジング上にあり、パーソナリティモジュールに接続してそこから生理学的信号を受容するように構成された少なくとも第１のマルチモーダル接続ポートとを有する。第１のパーソナリティモジュールは、第１のパーソナリティモジュールハウジングと、第１のパーソナリティモジュールハウジング上の第１のカテーテルコネクタであって、第１のカテーテルコネクタは、第１のカテーテルタイプの接続端部を受容してそこから生理学的信号を受容するように構成される第１のカテーテルコネクタと、第１のパーソナリティモジュールハウジング上の第１のドックコネクタであって、第１のドックコネクタは、第１のドックの第１のマルチモーダル接続ポートに接続してそこに生理学的信号を提供するように構成される第１のドックコネクタとを有する。第１のドックハウジングおよび第１のパーソナリティモジュールハウジングは、それらが共に嵌合して第１のインターフェースモジュールを形成するように対応する形状である。システムは、少なくとも１つのパーソナリティモジュールと嵌合するように構成された第２のドックを有する第２のインターフェースモジュールをさらに含む。第２のドックは、第２のドックハウジングと、第２のドックハウジング上にあり、パーソナリティモジュールに接続してそこから生理学的信号を受容するように構成された第２のマルチモーダル接続ポートとを有する。第２のドックは、第２のパーソナリティモジュールハウジングと、第２のパーソナリティモジュールハウジング上の第２のカテーテルコネクタであって、第２のカテーテルコネクタは、第２のカテーテルタイプの接続端部を受容してそこから生理学的信号を受容するように構成される第２のカテーテルコネクタと、第２のパーソナリティモジュールハウジング上の第２のドックコネクタであって、第２のドックコネクタは、第２のドックの第２のマルチモーダル接続ポートに接続してそこに生理学的信号を提供するように構成される第２のドックコネクタとを有する少なくとも第２のパーソナリティモジュールに接続される。第２のドックハウジングおよび第２のパーソナリティモジュールハウジングは、それらが共に嵌合して第２インターフェースモジュールを形成するように対応する形状である。
【００１０】
本発明の様々な他の特徴、目的、および利点は、図面と併せて以下の説明から明らかになるであろう。
【００１１】
本開示は、以下の図を参照して説明される。
【図面の簡単な説明】
【００１２】
【図１】本開示による生理学的データ取得のための例示的なカスタマイズ可能なインターフェースシステムの一実施形態を示す図である。
【図２Ａ】本開示による生理学的データ取得のためのカスタマイズ可能なインターフェースシステムの別の実施形態を示す図である。
【図２Ｂ】図２Ａのカスタマイズ可能なインターフェースシステムの一部を備えるインターフェースモジュールを形成するために４つのパーソナリティモジュールを受容するように構成されたドックを示す図である。
【図３Ａ】本開示によるインターフェースモジュールの一部を備えるドックの例示的な実施形態を示す図である。
【図３Ｂ】本開示によるインターフェースモジュールの一部を備えるドックの例示的な実施形態を示す図である。
【図３Ｃ】本開示によるインターフェースモジュールの一部を備えるドックの例示的な実施形態を示す図である。
【図４Ａ】本開示の一実施形態によるインターフェースモジュールを形成するために図３Ａ〜図３Ｃのドックと嵌合するように構成されたパーソナリティモジュールの一実施形態を示す図である。
【図４Ｂ】本開示の一実施形態によるインターフェースモジュールを形成するために図３Ａ〜図３Ｃのドックと嵌合するように構成されたパーソナリティモジュールの一実施形態を示す図である。
【図４Ｃ】本開示の一実施形態によるインターフェースモジュールを形成するために図３Ａ〜図３Ｃのドックと嵌合するように構成されたパーソナリティモジュールの一実施形態を示す図である。
【図５Ａ】本開示によるドックの別の実施形態を示す図である。
【図５Ｂ】本開示によるドックの別の実施形態を示す図である。
【図６Ａ】図５Ａおよび図５Ｂに示すドックと嵌合するように構成されたパーソナリティモジュールの一実施形態を示す図である。
【図６Ｂ】図５Ａおよび図５Ｂに示すドックと嵌合するように構成されたパーソナリティモジュールの一実施形態を示す図である。
【図６Ｃ】図５Ａおよび図５Ｂに示すドックと嵌合するように構成されたパーソナリティモジュールの一実施形態を示す図である。
【図７Ａ】ドックが４つのパーソナリティモジュールを受容するように構成される、本開示によるドックの別の実施形態を示す図である。
【図７Ｂ】ドックが４つのパーソナリティモジュールを受容するように構成される、本開示によるドックの別の実施形態を示す図である。
【図７Ｃ】ドックが４つのパーソナリティモジュールを受容するように構成される、本開示によるドックの別の実施形態を示す図である。
【発明を実施するための形態】
【００１３】
本発明者らは、侵襲的心臓処置において、ならびに心臓カテーテル挿入処置および電気生理学的検査などの血行力学的および電気生理学的用途において使用するための改良されたデータ取得インターフェースシステムの必要性を認識している。監視装置へのカテーテルの接続は、侵襲的心臓病学および電気生理学の分野において長年の課題であった。現在利用可能なほとんどのシステムでは、インターフェースモジュールへのカテーテルの接続は、面倒かつ煩雑であり、そしてエラーが発生しやすい。ほとんどのカテーテルは、カテーテル電極ワイヤの端部に数本の２ｍｍピンからなる「ポニーテール」コネクタを有し、２ｍｍピンは、インターフェースモジュールのポートに個々に接続されなければならない。例えば、１０個の電極を有するカテーテルでは、ポニーテールコネクタは、インターフェースモジュール上のピンレシーバのグリッド上の場所に接続されなければならない２ｍｍピンで各々終端する１０個の電極ワイヤを含む。標準的なインターフェースモジュールは、３２個以上のピンレシーバのグリッドを含む。さらに、各々が専用のインターフェースモジュールを有する複数のカテーテルを、任意の所与の処置において利用することができる。したがって、ＥＰレコーダまたはマッピングシステムにプログラムされた構成に対して、１つまたは複数のピンを誤ったピンレシーバに接続するか、またはカテーテル入力モジュールで誤った電極を対にすることによってピンは容易に誤接続を起こす。問題は、ある特定の処置ではさらに多くの接続を要求する、２５６以上の接続に達する可能性がある任意の所与の処置で行われなければならない接続の膨大な数によって悪化する。
【００１４】
電極接続を予め設定された方法で編成し、単一のコネクタを介してカテーテルの容易な接続および切断を可能にする単一のコネクタを提供することによって接続プロセスを単純化するための、多くの試みがなされてきた。そのような単一のコネクタの一例は、Ｂｉｏｓｅｎｓｅ  ＷｅｂｓｔｅｒからのＣａｒｔｏ  ３  Ｐａｔｉｅｎｔ  Ｉｎｔｅｒｆａｃｅ  Ｕｎｉｔである。しかしながら、関連する業界は、接続のための規格を開発した、または規格に一致したことは一度もない。さらに、異なるカテーテルには異なるニーズがあり、固定されたカテーテル入力モジュールでは解決が難しい場合がある。例えば、ＡｂｂｏｔによるＡｄｖｉｓｏｒ（商標）  Ｇｒｉｄ  Ｃａｔｈｅｔｅｒは、従来の３２入力ＣＩＭに接続してマッピングすることが困難な場合がある。
【００１５】
したがって、ある特定のカテーテル供給業者が単一コネクタを有するカテーテルを開発または開発しようと試みた一方で、製造業者は、独自のコネクタまたは独自のピン配列配線などによる独自の接続装置および／または接続方法を開発した。独自のコネクタを有するそのようなカテーテルは、独自のレシーバ、したがって独自のインターフェースモジュールを必要とする。複数の異なる供給業者からの複数の異なるタイプのカテーテルが単一の処置で利用され得ること、および医療施設が異なる製造業者からの異なるタイプのカテーテルを利用し得ることを考えると、別々の独自の監視システムの利用は扱いにくくなり、患者検査準備時間が増大する。このため、ポニーテールコネクタ（「トランジションコネクタ」とも呼ばれる）が永続的に使用されるようになり、一般的なコネクタとして選択されるようになった。したがって、ポニーテールコネクタは煩雑であり、エラーが発生しやすいという事実にもかかわらず、それらの使用は普及し続けている。
【００１６】
これらの長年にわたる永続的な問題に鑑み、そして関連する分野におけるそれらの広範な実験および研究に基づいて、本発明者らは、特定の処置、用途、および装置に対して組み立ておよびカスタマイズすることができるモジュール化インターフェースモジュールを有する開示されたカスタマイズ可能なデータ取得インターフェースシステムを開発した。各インターフェースモジュールは、１つまたは複数のカテーテルまたは生理学的記録センサを受容するように構成された複数の異なる接続モジュール、すなわち、「パーソナリティモジュール」のいずれかと嵌合するドック部分を含む。各ドックは、カスタマイズされたインターフェースモジュールを形成するために、任意の２つ以上の異なるタイプのパーソナリティモジュールの対応するコネクタと直接接続するように構成された少なくとも１つのマルチモーダル接続ポートを有する。したがって、ドックは、各々が対応するパーソナリティモジュールを有し得る多くの異なるカテーテルタイプおよび生理学的モニタタイプを含む、多くの異なるタイプのデータ取得装置のための一般的な接続場所を提供する。パーソナリティモジュールは、特定の処置または特定の臨床医のためのインターフェースモジュールを作成するために個々に選択され編成され得る。
【００１７】
パーソナリティモジュールは、パッシブ（カテーテルから受容された生理学的信号をドックに伝えるように構成されただけのもの）、またはアクティブ（アナログおよび／またはデジタル信号処理構成要素を含む）なものとすることができる。ある特定の実施形態では、ドックは、任意の数の異なるアクティブおよびパッシブパーソナリティモジュールと交換可能に接続するように構成され得る。さらに、ドックは、一度に複数のパーソナリティモジュールに接続するように構成されてもよく、これはアクティブおよびパッシブパーソナリティモジュールの組合せであってもよい。
【００１８】
パーソナリティモジュールは、独自のカテーテルコネクタ用の受容ポートを有するなど、特定のタイプのカテーテルに接続するように構成されてもよい。さらに、多数の異なる利用可能なカテーテルパーソナリティモジュールに加えて、システムは、心電計（ＥＣＧ）表面電極、侵襲的血圧センサ、脳波計（ＥＥＧ）電極、ＳｐＯ２センサなどからのような生理学的記録入力を受容および処理するように構成されたパーソナリティモジュールを含むことができる。したがって、広範囲の処置で利用されるすべての異なるタイプのデータ取得装置を単一のデータ取得システムに容易に接続することを可能にするインターフェースモジュールのさらなるカスタマイズが提供される。
【００１９】
パーソナリティモジュールは、独自のカテーテルからの、または任意の特定のタイプのカテーテル装置からの信号のタイプを処理するように構成された信号処理ハードウェアおよび／またはソフトウェアを含むことができる。同様に、パーソナリティモジュールは、ＥＥＧ信号のフィルタリングおよび増幅、侵襲的血圧信号、ＥＣＧ信号、ＳｐＯ２信号などのような任意のタイプの生理学的記録電極またはセンサによって記録された生理学的信号のタイプを処理するように構成された信号処理ハードウェアおよび／またはソフトウェアを含み得る。
【００２０】
ドックは、アナログ生理学的信号、デジタル化された生理学的データ、またはその両方を受容するように構成され得る。加えて、ドックは、接続されたパーソナリティモジュールのタイプを識別し、それに基づいて特殊化された処理機能性を提供するように構成されたコンピューティングシステムを備えることができる。例えば、ドックは、ドックに嵌合したパーソナリティモジュールのタイプに基づいて特殊化された信号処理機能性を提供するように構成されてもよい。
【００２１】
したがって、複数の異なる独自のカテーテルおよび／または生理学的センサに接続するように構成された複数の異なるパーソナリティモジュールは、単一のドックと嵌合され、正確なカテーテルおよび特定の処置で使用される患者監視機能に合わせてカスタマイズされるインターフェースモジュールを作成することができる。これは、既存のシステムよりも管理が煩雑でないコンパクトで編成されたデータ取得システムを提供し、複数の異なるタイプの独自のカテーテル接続および生理学的記録接続を編成して容易に提供することを可能にし、したがって誤接続によるエラーの可能性を大幅に低減する。
【００２２】
図１は、本開示によるインターフェースモジュール８を有する生理学的データ取得のためのカスタマイズ可能なインターフェースシステム１の１つの例示的な実施形態を示す。インターフェースモジュール８は、複数の異なるパーソナリティモジュール１０に接続されたドック４０を含む。図示の実施形態では、ドック４０は、３つのマルチモーダル接続ポート４６ａ〜４６ｃを有し、したがって３つのパーソナリティモジュール１０ａ〜１０ｃと嵌合するように構成される。しかしながら、ドック４０の他の実施形態は、任意の数の１つまたは複数のパーソナリティモジュール１０と嵌合するように構成されてもよい。
【００２３】
図示の実施形態では、マルチモーダル接続ポート４６は、デジタル接続４７とアナログ接続４８の両方を有し、したがってマルチモーダル接続ポート４６は、デジタル生理学的信号を提供するアクティブパーソナリティモジュール１０またはアナログ生理学的信号を提供するパッシブパーソナリティモジュール１０のいずれかと交換可能に接続するように構成される。マルチモーダル接続ポート４６ａ〜４６ｃの各々は、同一であり、したがってパーソナリティモジュール１０ａ〜１０ｃは、交換可能であり、マルチモーダル接続ポート４６のいずれかと接続する。したがって、ドック４０は、ドック４０で受容されたすべての生理学的信号のデジタル化された出力をベースユニット６０に処理するように構成され得る。
【００２４】
他の実施形態では、ドック４０は、パーソナリティモジュール１０からアナログ信号のみを受容し、生理学的信号のアナログ出力のみをベースユニット６０に提供するように構成され、またはパーソナリティモジュール１０からデジタル信号のみを受容し、デジタル出力のみをベースユニット６０に提供するように構成され得る。さらに他の実施形態では、ドック４０は、パーソナリティモジュール１０から受容されている信号のタイプに応じて、アナログまたはデジタル出力のいずれかをベースユニット６０に選択的に提供するように構成することができる。
【００２５】
システム１は、ドック４０と嵌合するために交換可能である任意の数の異なるタイプのパーソナリティモジュール１０を組み込むように構成される。図示の例では、第１のパーソナリティモジュール１０ａは、第１のカテーテルタイプ３ａの接続端部５ａを受容するように構成された第１のレシーバ１２ａを有する。第１のカテーテルタイプ３ａは、任意の数の異なるタイプの処置用の任意のタイプのカテーテルであり得る。例えば、第１のカテーテルタイプは、限定はしないが、固定曲線カテーテル、マッピングカテーテル、または操縦可能カテーテル、アブレーションカテーテル（高周波、レーザ、極低温などの増え続けるアブレーションカテーテルサブタイプのいずれかを含む）、またはマルチアレイカテーテル（バスケットカテーテル、グリッドカテーテルなど）、または任意の他の多極電極カテーテル構成（例えば、任意の４極、１２極、またはｈａｌｏカテーテル）および／またはその任意の独自のバージョンを含む、様々な利用可能なタイプのカテーテル構成のいずれでもよい。これらのより広範なカテーテルタイプに分類される一般的なカテーテルの特定の例は、限定はしないが、ほんの数例を挙げると、ＡｂｂｏｔｔによるＡｄｖｉｓｏｒ（商標）カテーテルファミリー、Ｂｏｓｔｏｎ  ＳｃｉｅｎｔｉｆｉｃによるＯｒｉｏｎマッピングカテーテル、およびＡｂｂｏｔｔによるＴｏｐｅｒａ  ＦＩＲＭａｐバルーンカテーテル、Ｍｅｄｔｒｏｎｉｃによる任意の診断カテーテルのいずれかを含む。
【００２６】
各カテーテル３ａ、３ｂは、ケーブル４、またはレシーバ１２ａ、１２ｂに差し込まれる接続端部５ａ、５ｂを有する他の伝達手段を有することができる。例えば、カテーテル接続端部５ａは、独自のコネクタとすることができ、レシーバ１２ａは、その独自のコネクタを受容するように構成された単一カテーテルレシーバ１４とすることができる。そのような実施形態では、パーソナリティモジュール１０ａは、その特定のカテーテルタイプからの信号を受容して処理するように構成された専用のパーソナリティモジュールであり得る。
【００２７】
異なるレシーバ１２を有する第２のパーソナリティモジュールが提供されてもよく、これは様々なタイプのカテーテルのいずれかを受容するように構成されてもよく、または生理学的記録センサ（表面電極など）の接続端部を受容するように構成されてもよい。したがって、パーソナリティモジュールは、接続されるデータ取得装置のタイプに基づいて選ばれてもよい。この例では、第２のパーソナリティモジュール１０ｂは、ピンレシーバ１３に個々に接続される２ｍｍピンを有するポニーテールコネクタである接続端部５ｂを有するカテーテルタイプ３ｂに接続するように構成される。第２のパーソナリティモジュール１０ｂは、２ｍｍピンレシーバ１３のグリッドであるレシーバ１２ｂを有する。６、１２、１８、３２、および６４個のピンレシーバ１３を備えるグリッド（ならびに６４個を超え得る任意の他の数のレシーバ１３を有するグリッド）などの異なる数の２ｍｍピンレシーバ１３を提供する様々なそのようなパーソナリティモジュール１０ｂが利用可能であり得る。第２のカテーテルタイプ３ｂは、上述の例を含む、様々なタイプのカテーテルのいずれでもよい。
【００２８】
生理学的データを取得するように構成された任意の装置であり得る生理学的データ取得装置６に接続するように構成される、第３のパーソナリティモジュール１０ｃも提供される。例えば、生理学的データ取得装置６は、別のカテーテルであってもよく、あるいは表面ＥＥＧ電極、表面ＥＣＧ電極、侵襲的ＥＣＧ電極（ｉＥＣＧ）、表面もしくは侵襲的ＥＭＧ電極、または侵襲的血圧センサ、呼吸監視電極、温度センサ、または患者の身体から生理学的パラメータを感知するように構成された任意の他のセンサなど、患者からの生理学的信号を記録するように構成された生理学的記録電極または他のセンサであってもよい。さらに他の実施形態では、生理学的データ取得装置６は、歪みゲージ、圧力センサ、温度センサ、光センサ、屈折センサ、または物理的パラメータを感知する任意の他のセンサであってもよい。そのような一実施形態では、パーソナリティモジュール１０は、生理学的信号をフィルタリング、増幅、分離、および他の方法で処理し、したがって患者モニタの信号処理機能のいくつかまたはすべてを提供するように構成された信号処理ハードウェアおよび／またはソフトウェアを備えることができる。
【００２９】
上述したように、パーソナリティモジュール１０は、パッシブまたはアクティブ装置のいずれでもよい。パーソナリティモジュール１０ｃは、カテーテル接続１２ｃで受容された生理学的データ取得装置６のアナログ出力とドック４０との間の接続を提供するだけの完全なパッシブ装置を例示する。具体的には、パッシブパーソナリティモジュール１０ｃは、ドック４０のマルチモーダル接続ポート４６ｃと接続するように構成されたドックコネクタ２６ｃを有する。パーソナリティモジュール１０ｃのドックコネクタ２６ｃは、第３のマルチモーダル接続ポート４６ｃで１つまたは複数の対応するアナログ接続４８ｃとガルバニック的に接続する１つまたは複数のアナログ接続２８を有する。
【００３０】
他の実施形態では、パーソナリティモジュール１０は、信号処理ユニット１６を備えるアクティブパーソナリティモジュールであり得る。信号処理ユニットは、様々なアナログまたはデジタル構成要素のいずれかで構成されてもよく、接続された特定のカテーテル３または他の生理学的データ取得装置６に固有の信号処理を提供するように構成されてもよい。例えば、信号処理ユニット１６は、ある特定のタイプのカテーテルからの信号に現れる可能性がある、ある特定の周波数または他の既知の雑音要素を除去するように構成されてもよい。例えば、信号処理ユニット１６は、場所追跡をしないカテーテルタイプの場所追跡に一般的に使用される搬送波周波数を除去するように構成され、またはペースメーカもしくはアブレーション装置などの他の機器によって引き起こされるアーチファクトを排除するように構成されたアナログまたはデジタル構成要素を有し得る。
【００３１】
信号処理ユニット１６は、アナログドメイン構成要素のみを含み得るか、またはアナログ生理学的信号をデジタル生理学的データに変換するためのデジタイザを含み得る。図１の図示の実施形態では、パーソナリティモジュール１０ｂは、フィルタ１７ｂと、フィルタリングされた生理学的信号を増幅するように構成された増幅器１８ｂとを含む、アナログ構成要素を提供する信号処理ユニット１６ｂを含む。例えば、フィルタ１７ｂは、ノッチフィルタ、バンドパスフィルタ、バンドリジェクトフィルタなどのような任意のタイプのアナログフィルタであり得る。例えば、フィルタ１７ｂは、第２のカテーテルタイプ３ｂからの生理学的信号中の予想される雑音要素を選択的にフィルタリングするように構成されてもよい。信号処理ユニット１６ｂは、フィルタリングされ増幅された生理学的信号を、ドックコネクタ２６ｂのアナログ接続２８からマルチモーダル接続ポート４６ｂのアナログ接続４８を通してドック４０に提供する。
【００３２】
パーソナリティモジュール１０ａは、アナログ構成要素とデジタル構成要素の両方を有する信号処理ユニット１６ａを有するアクティブパーソナリティモジュールの一例を提供する。信号処理ユニット１６ａは、フィルタ１７ａと、増幅器１８ａと、アナログ−デジタル（Ａ／Ｄ）変換器１９とを備える。これにより、信号処理ユニット１６ａは、デジタル生理学的データを出力する。図示の実施形態では、パーソナリティモジュール１０ａは、生理学的データをさらに処理するように構成されたコンピューティングシステム２０をさらに含む。例えば、コンピューティングシステム２０は、本実施形態では第１のカテーテルタイプ３ａである、パーソナリティモジュール１０が接続するように構成される取得装置のタイプに基づいて具体的な信号処理ルーチンを実行するように構成されたソフトウェアを収容することができる。コンピューティングシステム２０は、１つまたは複数のプロセッサを有する処理システム２１と、１つまたは複数の記憶装置を含む記憶システム２２とを含む。
【００３３】
ドック４０は、１つまたは複数のアクティブパーソナリティモジュール１０に電力を供給して処理に電力を供給するように構成され得る。アブレーションカテーテルなどのある特定の実施形態では、パーソナリティモジュール１０を通してカテーテル３または他の生理学的データ取得装置６に電力を提供することもできる。図示の実施形態では、電力は、マルチモーダル接続ポート４６を通してそれぞれのパーソナリティモジュール１０に提供される。より具体的には、電力は、電力接続４９からドックコネクタ２６のそれぞれの電力接続２９に提供される。電力は、電力接続２９から電力を必要とするパーソナリティモジュール１０内の様々な要素にパッシブ的に伝達され得る。他の実施形態では、パーソナリティモジュールは、ドック４０から受容された電力を管理して分配する電力管理モジュール２４を含み得る。パーソナリティモジュール１０ａは、電力管理モジュール２４を有するそのような実施形態を例示する。電力管理モジュール２４は、例えば、電力接続２９で受容されたエネルギーを記憶し、その電力をコンピューティングシステム２０および信号処理ユニット１６などのパーソナリティモジュール１０ａの様々な電力供給要素に分配するバッテリを含むことができる。そのような電力管理能力は、要求の厳しいまたは敏感な電気構成要素を含むパーソナリティモジュール１０の実施形態に対して、または電力がカテーテル３または他の生理学的取得装置に供給される実施形態において必要とされ得る。さらに他の実施形態では、特にデジタル生理学的データ出力を提供するアクティブパーソナリティモジュール１０の場合、パーソナリティモジュール１０は、使用およびドック４０への接続の前に充電される充電式バッテリを含むことができ、バッテリは、パーソナリティモジュール１０の機能に必要なすべての電力を提供する。
【００３４】
上述のように、ドック４０の各マルチモーダル接続ポート４６は、様々な異なるタイプのパーソナリティモジュール１０のいずれかの対応するドックコネクタ２６と接続するように構成される。マルチモーダル接続ポート４６は、本明細書で説明されている機能を実行するために当技術分野で知られている任意の方法で構成することができる。マルチモーダル接続ポートの目的は、それぞれのパーソナリティモジュール１０から生理学的データまたは信号を受容することであり、それは様々な実施形態ではアナログもしくはデジタル信号、またはその両方であり得る。マルチモーダル接続ポート４６はまた、接続されたパーソナリティモジュール１０への電力伝送を提供して上述のようにアクティブモジュールに電力を供給するように構成され得る。様々な実施形態では、電力伝送は、マルチモーダル接続ポート４６の電力接続４９とドックコネクタ２６の電力接続２９との間のガルバニック接続を通して提供することができる。他の実施形態では、電力伝送は、それぞれの電力接続４９、２９の間の誘導または容量結合を通して提供されてもよい。マルチモーダル接続ポート４６とドックコネクタ２６との間のインターフェースを通して信号またはデータを伝送するための例示的な構成は、物理的、ガルバニック接続、高周波プロトコルを通した、または最適なデータ伝送によるものであり得る。一実施形態では、ガルバニック接続は、ドックコネクタ２６のデジタル接続２７とアナログ接続２８との間、およびマルチモーダル接続ポート４６の対応するデジタル接続４７とアナログ接続４８との間に設けられる。一実施形態では、デジタル接続２７、４７は各々、ユニバーサル非同期レシーバ／トランスミッタ（ＵＡＲＴ）とすることができ、したがってパラレル形式とシリアル形式との間でデータを変換するための集積回路を含むことができる。ドック４０は、コンピューティングシステム５０および／または信号処理ユニット４２（見やすくするために接続は図１には図示せず）を含む、ドック４０内の様々な要素に電力を記憶および／または提供する電力管理モジュール５４をさらに含み得る。
【００３５】
ある特定の実施形態では、マルチモーダル接続ポート４６は、専用のアナログまたは専用のデジタル接続ポートとすることができ、様々な実施形態では、ドック４０は、一方または両方のタイプの専用の接続ポートを設けることができる。マルチモーダル接続ポート４６が専用のデジタル接続ポートである実施形態では、それはＩ‐２Ｃまたはシリアル周辺インターフェース（ＳＰＩ）として構成されてもよい。マルチモーダル接続ポート４６とドックコネクタ２６との間のデータ通信は、あるいは、Ｂｌｕｅｔｏｏｔｈ、近距離無線通信（ＮＦＣ）、ＡＮＴ、または短距離通信に適した他の任意のプロトコルなどのＲＦ通信を使用して実施することができる。パーソナリティモジュール１０とドック４０とが近接しているため、ＲＦ範囲はかなり短くなり得、アンテナは、非常に少ない電力を利用し、非常にローカルなＲＰ通信を提供するように最適化され得る。
【００３６】
様々な実施形態では、各ドック４０は、アナログまたはデジタルマルチモーダル接続ポート４６のみを提供する専用のアナログドックまたはデジタルドックであり得る。他の実施形態では、ドック４０は、専用のデジタルおよび専用のアナログマルチモーダル接続ポート４６の組合せを有することができる。図１に示されたものなどのさらに他の実施形態では、マルチモーダル接続ポート４６は、アナログ接続とデジタル接続の両方を提供することができる。図２は、７つのアナログドック２４０と、１つのデジタルドック３４０とを有するカスタマイズ可能なインターフェースシステム１の一実施形態を例示する。７つのアナログドック２４０は各々、ベースユニット６０上の対応するアナログレシーバポートＡ１〜Ａ７に接続するように構成される。ベースユニット６０上のインターフェースモジュール接続領域１００は、専用のアナログドック２４０と接続するための複数の専用のアナログ接続レシーバＡ１〜Ａ７を提供する。具体的には、各ドック２４０は、ベースユニット６０においてアナログレシーバＡ１〜Ａ７の１つとガルバニック的に接続するように構成されたベースコネクタ２５９で終端する伝達ケーブル２５８である伝達手段を含むことができる。
【００３７】
同様に、デジタルドック３４０は、ベースユニット６０のインターフェースモジュール部分１００のデジタルレシーバＤ１〜Ｄ３に接続することができる。デジタルドック３４０は、任意の様々な伝達手段によってベースユニット６０に接続することができる。例えば、デジタル通信用の伝達手段は、デジタルレシーバＤ１およびベースユニット６０に物理的に接続するように構成されたベース接続３５９で終端する伝達ケーブル３５８を備えることができる。他の実施形態では、デジタル通信用の伝達手段は、ベースユニット６０と無線通信するように構成された無線装置であり得る。そのような実施形態では、デジタルドック３４０およびベースユニット６０の各々は、ベースユニット６０の対応する無線レシーバＤ１〜Ｄ３で受容されるデジタルドック３４０からの生理学的データを伝達するために通信するように構成された無線トランシーバを有する。そのような無線通信は、Ｂｌｕｅｔｏｏｔｈ、Ｂｌｕｅｔｏｏｔｈ低エネルギー（ＢＬＥ）、ＡＮＴ、およびＺｉｇＢｅｅなどの様々な無線通信プロトコルのいずれでもよい。他の実施形態では、デジタルドック３４０の無線デジタルレシーバＤ１〜Ｄ３および無線トランスミッタは、ウェアラブルの報告可能な生理学的記録装置の無線ネットワーク上で動作する医療ボディエリアネットワーク（ＭＢＡＮ）装置などのボディエリアネットワーク（ＢＡＮ）装置であり得る。そのような実施形態では、ベースユニット６０は、侵襲的心臓またはＥＰ処置の近くに載置することができ、１つまたは複数のデジタルドック３４０は、処置テーブルの上またはその付近に載置し、カテーテル３または他の周辺データ取得装置６に物理的に接続することができる。さらに他の実施形態では、無線通信は、無線医療遠隔測定サービス（ＷＭＴＳ）スペクトル上またはＷｉ−Ｆｉ準拠無線ローカルエリアネットワーク（ＷＬＡＮ）上で動作するネットワークなどの長距離無線プロトコルによるものであり得る。
【００３８】
引き続き図２Ａおよび図２Ｂを参照すると、ドック２４０、３４０の各々は、それぞれのインターフェースモジュール８の機能を定義する１つまたは複数のパーソナリティモジュール２１０、３１０を受容するように構成される。図２に示す実施形態では、各インターフェースモジュール８は、ただ１つのパーソナリティモジュール１０からなる。その例が本明細書に示され説明される他の実施形態では、インターフェースモジュール８は、複数のパーソナリティモジュール１０からなり得る。さらに、システム１は、各々が接続されたパーソナリティモジュール１０に従って特定のデータ取得機能にカスタマイズされた複数のインターフェースモジュール８を含むことができる。図２では、アナログインターフェースモジュール８は各々、例示的なパーソナリティモジュール２１０ａ、２１０ａ’、２１０ｂのいずれかと嵌合するように構成されたアナログドック２４０を備える。この例では、アナログパーソナリティモジュール２１０ａ、２１０ａ’は各々、２ｍｍピンレシーバ１３を用いて構成される。２ｍｍピンレシーバパーソナリティモジュール２１０ａ、２１０ａ’は、同一であってもよく、またはそれらは各々、異なるカテーテル用途のためにおよび異なる信号処理機能を実行するように構成されてもよいという点で異なっていてもよい。図示の例はまた、単一カテーテル接続端部５を受容するための単一レシーバ１１４を有するアナログパーソナリティモジュール２１０ｂを含む。例えば、単一レシーバ１１４は、特定のカテーテル製造業者による１つまたは複数の独自のコネクタ、特定の機能を実行するカテーテル用の標準化されたコネクタ、または異なる処置のワークフロー（マッピング、アブレーション、ペーシングなど）用に構成された汎用カテーテルなど、特定のカテーテルタイプ（またはインターフェースモジュール例３１０と同様の２つ以上の特定のカテーテルタイプ）に接続するように構成された専用のカテーテルレシーバであり得る。例えば、パーソナリティモジュール２１０ｂは、４極カテーテル、１０極カテーテル、スプリットチップカテーテルなどの任意の２つ以上に接続するように構成され得る。これらの置換は、複数の異なるカテーテルおよびカテーテルタイプをそれらに接続することができるという点でユーザが２ｍｍピンモジュールと同様に単一レシーバパーソナリティモジュールを使用することができるように、典型的なユーザ接続の好みを反映するであろう。
【００３９】
デジタルドック３４０は、様々なパーソナリティモジュール３１０ａ〜３１０ｃのいずれかを受容するように同様に構成されてもよく、パッシブパーソナリティモジュール、アクティブパーソナリティモジュール、またはその両方を受け入れるように構成されてもよい。図１も参照すると、ドック２４０は、例えば、アナログ信号とデジタル信号の両方を受容するように構成することができる。アナログ信号が受容される場合、ドック３４０は、生理学的データを発生するために生理学的信号をフィルタリングし、増幅し、そしてデジタル化するように構成された信号処理ユニット４２を含み得る。代替的または追加的に、データ取得装置３、６から受容された生理学的信号は、パーソナリティモジュール３１０ａ〜３１０ｃ内に備えられる信号処理ユニット１６においてデジタル化され、デジタル化された生理学的データをドック３４０に提供することができる。
【００４０】
ドック３４０が複数の異なるパーソナリティモジュール３１０を受容するように構成されていることに加えて、各パーソナリティモジュール３１０は、カテーテルの１つまたは複数の接続端部５を受容するように構成されてもよい。図２の例では、３つの異なるパーソナリティモジュール３１０ａ〜３１０ｃがデジタルドック３４０に接続可能であり、各々が異なるカテーテル接続能力を提供する。第１のパーソナリティモジュール３１０ａは、第１のカテーテルタイプ３ａに接続するように構成された第１の専用のカテーテルレシーバ１１４ａを含む。第２のパーソナリティモジュール３１０ｂは、各々異なるタイプのカテーテルを受容するように構成される、２つの異なる専用のカテーテルレシーバ１１４ａ、１１４ｂを有する。パーソナリティモジュール３１０ｃは、第３のタイプの専用のカテーテルレシーバ１１４ｃを有し、４つの同じカテーテルタイプを受容するように構成される。本開示に照らして当業者によって理解されるように、図に示すパーソナリティモジュールの例１０、２１０、３１０は、例示の目的のためだけであり、様々なパーソナリティモジュールの任意のものが考案されシステムに組み込まれ、任意のタイプもしくは数の異なるカテーテル、生理学的モニタ、または任意の心臓検査処置で利用される他の機能入力タイプに対応し得る。
【００４１】
ドック３４０は、ベースユニット６０への伝達前に生理学的データを処理することが可能である信号処理ソフトウェアを有するコンピューティングシステム５０を含むことができる。図１も参照すると、ドック３４０のコンピューティングシステム５０は、１つまたは複数のメモリ装置からなる記憶システム５２に記憶されたソフトウェアを実行することが可能である１つまたは複数のプロセッサを有する処理システム５１を含む。ドック３４０は、コンピューティングシステム５０および／または信号処理ユニット４２を含む、ドック３４０内の様々な要素に電力を記憶および提供する電力管理モジュール５４をさらに含み得る。コンピューティングシステム５０からの出力は、次に伝達手段５８を通してベースユニット６０に提供される。他の実施形態では、ドック３４０は、いかなるコンピューティングシステム５０も含まなくてもよく、デジタル化された生理学的信号を伝達手段５８を介してベースユニット６０に伝達するだけでもよい。
【００４２】
ある特定の実施形態では、ドック４０、２４０、３４０は、２つ以上の異なるカテーテルタイプまたは患者モニタタイプを受容するように構成されたインターフェースモジュール８を形成するなど、２つ以上のパーソナリティモジュール１０、２１０、３１０を同時に受容するように構成され得る。図２Ｂは、４つのパーソナリティモジュールを受容するように構成され、アクティブおよびパッシブパーソナリティモジュールの両方を受容し、受容したすべての生理学的信号のデジタル出力をベースユニット６０に提供するように構成された一実施形態を示す。図示の実施形態では、ドック３４０は、３つの異なるパーソナリティモジュール２１０、３１０ａおよび３１０ｂを受容している。パーソナリティモジュール２１０は、アナログ出力をドック３４０に提供する２ｍｍピンレシーバ１３のグリッドを有し、したがってポニーテールコネクタを有する様々なタイプのカテーテルのいずれかを受容するように構成される。２つの専用のパーソナリティモジュール３１０ｂおよび３１０ｂもまたドック３４０に接続されており、各々それぞれのカテーテルタイプを受容するように構成されたそれぞれの専用のカテーテルレシーバ１１４ａ、１１４ｂを有する。専用のパーソナリティモジュール３１０ｂおよび３１０ｂは各々、それぞれのカテーテルタイプから受容された生理学的データを処理してデジタル化するように構成された特殊化された信号処理ユニット４２を備える。
【００４３】
図２Ｂの例では、ドック４０は、４つのパーソナリティモジュール１０を受容するように構成されるが、３つのみが接続されている。したがって、ドック４０は、ポートへの流体の導入を回避するためなど、不使用期間中に保護されるマルチモーダル接続ポート４６を用いて有利に構成することができる。例えば、各マルチモーダル接続ポート４６は、凹んでいてもよく、使用していないときにポートを閉じるためのプラグまたはシールを含んでもよい。
【００４４】
図２Ａに戻ると、ベースユニット６０は、様々なインターフェースモジュール８からアナログまたはデジタル信号を受容するように構成される。ベースユニットは、様々なインターフェースモジュール８からアナログおよび／またはデジタル生理学的信号を受容し、中央レビューシステム８０へのさらなる処理、記憶、および／または通信のためにそのような信号を処理システム６４に伝達するように構成された通信インターフェース６３を有するコンピューティングシステム６２を備えることができる。例えば、コンピューティングシステム６２およびベースユニット６０は、記憶システム６５に記憶され、必要に応じて様々な信号処理タスクを実行するように構成された様々なソフトウェアモジュールを備えてもよい。コンピューティングシステム６２はまた、それらの装置を識別するならびに／または接続された装置がオンであるかおよび／もしくは適切に機能しているかを識別する情報など、接続される様々なインターフェースモジュール８および／もしくは生理学的データ取得装置３、６のステータスに関する情報を受容するように構成され得る。したがって、ベースユニット６０は、そのような情報を送達するためのユーザインターフェース６７を含み得る。ユーザインターフェース６７は、図２Ａに示すように、ベースユニット６０をオンにするように構成された電源ボタン９１と、接続された装置がオンであり、生理学的信号またはデータをベースユニット６０に伝達しているかを示すように構成された様々なインジケータライト９２および９３とを備えるような非常に単純なものであり得る。例えば、ベースユニット６０が様々なインターフェースモジュールからアナログまたはデジタル生理学的信号を受容しているかを示すためにアクティブインジケータライト９２が設けられてもよい。エラーライト９３は、インターフェースモジュールの１つにおいてエラーが検出されたときを示すように構成され得る。
【００４５】
ベースユニット６０はさらに、血圧、心拍数、呼吸データ、血中酸素飽和度などのような、任意の数の異なる生理学的パラメータを患者から取得するように構成されてもよい。そのような情報は、生理学的モニタをベースユニット６０に直接接続することによって提供することができる。この例では、ベースユニット６０は、ＥＣＧモニタおよび複数の血圧モニタにそれぞれ接続するためのＥＣＧレシーバポート９５および複数の圧力レシーバポート９７を含む。様々な実施形態では、血圧モニタは、非侵襲的血圧モニタ（ＮＩＢＰ）もしくは侵襲的血圧モニタ（ＩＢＰ）、または両方のタイプのモニタの組合せであり得る。上述したように、そのような専用の生理学的記録入力が利用可能であるが、電極接続または他の生理学的記録入力を受容するように構成されたパーソナリティモジュール１０を有する１つまたは複数のインターフェースモジュール８を通してこれらの同じ生理学的パラメータを受容してもよい。
【００４６】
次いで、ベースユニット６０は、生理学的データを中央レビューシステム８０に通信するように構成され、中央レビューシステム８０は、取得した情報を臨床医に表示し、取得した情報を患者の医療記録および／または処置記録などのデータベースに記憶するのを容易にする。例えば、中央レビューシステム８０は、ニューヨーク州スケネクタディのＧｅｎｅｒａｌ  Ｅｌｅｃｔｒｉｃ  ＣｏｍｐａｎｙによるＭａｃ−Ｌａｂ、ＣｏｍｂｏＬａｂ、ＣａｒｄｉｏＬａｂ、および／またはＣｅｎｔｒｉｃｉｔｙ  Ｃａｒｄｉｏｌｏｇｙ製品（またはその後継製品）を組み込んでもよい。中央レビューシステム８０は、１つまたは複数のコンピューティングシステム８２を含み、これは、医療施設のコンピュータネットワークおよび／またはクラウドホストコンピューティングネットワークの一部とすることができる。中央レビューシステムは、それを通じて臨床医が様々な生理学的データ取得装置３、６のすべてによって記録された生理学的データを受容してレビューすることができ、および／またはシステム１を制御するための命令を提供することができる１つまたは複数のユーザインターフェース８７を含むことができる。
【００４７】
図３〜図７は、カスタマイズされたインターフェースモジュール８を形成するために共に嵌合するように構成される、ドック４０および対応するパーソナリティモジュール１０の様々な例を提供する。ドック４０とパーソナリティモジュール１０との間の確実な接続を容易にするために、各々は、ドック４０とパーソナリティモジュール１０が互いに対して装着可能であり、コンパクトで安定した、運搬可能なインターフェースモジュール８を形成するために共に嵌合するように、対応する形状のハウジングを有する。ドック４０は、ドックハウジング４１を有し、パーソナリティモジュールは、パーソナリティモジュールハウジング１１を有し、各々は、対応する形状でありハウジングの相互接続を容易にする。図は、ドックハウジング４１とパーソナリティモジュールハウジング１１との間の接続および装着手段の非限定的な例を提供すること、ならびにドックハウジング４１およびパーソナリティモジュールハウジング１１は、２つのハウジングを共に嵌合することを可能にする任意の対応する接続手段を有し得ることを当業者は理解するであろう。ある特定の実施形態では、ハウジング１１および４１には、ハウジングを嵌合位置に共にロックするための対応するロック手段を設けることができる。例えば、ハウジング１１、４１の一方は、他方のハウジング４１、１１のハウジングのノッチまたは他の対応する部分と係合するロック戻り止め（ばね装着部品など）を有し得る。そのような実施形態では、ロック戻り止めは、ロックを解除し、パーソナリティモジュール１０とドック４０の分離を可能にするために、戻り止めまたは接続されたボタンもしくは部分を押すことによって解除することができる。それによって、戻り止めが解除されない場合、パーソナリティモジュール１０は、ドック４０に固定されたままである。
【００４８】
図３Ａ〜図３Ｃは、図４Ａ〜図４Ｃに示す対応する形状のパーソナリティモジュール１０と接続するための接続手段を有する１つの例示的なドックハウジング４１を提供する。図３Ａは、ドックハウジング４１の実施形態の例示の上面図であり、図３Ｂは、側面図であり、図３Ｃは、断面図である。図４Ａは、対応するパーソナリティモジュールハウジング１１の上面図であり、図４Ｂは、底面図であり、図４Ｃは、断面図である。この例では、ドック４０とパーソナリティモジュール１０は、パーソナリティモジュール１０のドックコネクタ２６をドック４０のマルチモーダル接続ポート４６に挿入するために共にスライド可能に接続される。ドックハウジング４１は、プラットフォーム部分１４４と、本体部分１４１とを有する。プラットフォーム部分１４４は、パーソナリティモジュール１０を受容して支持するように構成される。この例では、プラットフォーム１４４は、パーソナリティモジュールハウジング１１とスライド可能に係合するためにその両側にトラック１４６を有する隆起部分１４５を有する。具体的には、パーソナリティモジュールハウジング１１の底面１１６は、ドックハウジング４１の隆起部分１４５を受容するように構成された凹部分１１７を有する。パーソナリティモジュールハウジング１１は、隆起部分１４５を包み込み、ドックハウジング４１のトラック１４６と係合するリップ１１９で終端する脚部１１５をさらに有する。パーソナリティモジュール１０は、ドックコネクタ２６がマルチモーダル接続ポート４６に接続するようにドック４０上にスライドする。接続されると、ドックハウジング４１とパーソナリティモジュールハウジング１１は、パーソナリティモジュール１０がドック４０から不注意に分離されることなくインターフェースモジュール８が運搬されることができるように共にしっかりと嵌合される。それにより、カスタマイズされたインターフェースモジュール８が提供される。
【００４９】
パーソナリティモジュールハウジング１１の上面１１１は、１つまたは複数のカテーテルまたは患者モニタレシーバ１２を提供する。図示の例では、ドックハウジング４１の上面は、システム１が完全に故障した場合に患者内に載置されたカテーテルを緊急ペースメーカとして利用する能力を提供する、緊急刺激コネクタ１４２を提供する。緊急刺激コネクタ１４２は、ベースユニット６０に設けられたＳＴＩＭ入力１０３への直接電気接続を提供する。ある特定の実施形態では、ドック４０は、臨床医がカテーテルを使用せずに、かつインターフェースモジュール８をバイパスすることなくアナログチャネルを構築することを可能にする１つまたは複数の補助基準入力（図示せず）をさらに提供し得る。例えば、患者の背中または脚部のパッチなど、基準電極を患者に設け、ドック４０の補助基準入力に差し込むことができる。あるいは、そのような基準電極は、ベースユニット６０上の補助入力１０４に直接接続されてもよい。
【００５０】
図５Ａ〜図５Ｂおよび図６Ａ〜図６Ｃは、共にスライド可能に接続する対応する形状のドックハウジング４１およびパーソナリティモジュールハウジング１１の別の実施形態を示す。図５Ａおよび図５Ｂに示すように、ドックハウジング４１は、プラットフォーム１４４から上方に延びるトラック１４６を有するプラットフォーム１４４を有する。対応する形状のパーソナリティモジュールハウジング１１は、ドックハウジング４１のプラットフォーム１４４から突出するトラック１４６を受容するように成形される凹縁部１１８を有する底面１１６を有する。パーソナリティモジュールハウジング１１は、トラック１４６の下側と係合するように外方に延びるリップ１１９を両側に有する。
【００５１】
図７Ａ〜図７Ｃは、複数のパーソナリティモジュールとスライド可能に嵌合するように構成されたドックハウジング４１を有するドック４０の例示的な実施形態を示す。プラットフォーム１４４は、各々がパーソナリティモジュール１０とスライド可能に係合する、両側にトラック１４６を有する複数の隆起部分１４５を有するように構成される。様々な実施形態では、トラック１４６は、２つのトラックの代わりに、パーソナリティモジュール１０のいずれかの底縁部に沿った各パーソナリティモジュールハウジング１１の下に中心を置く１つのトラックなど、ここに示されるものとは異なって配置され得る。さらに他の実施形態では、パーソナリティモジュールハウジング１１およびドックハウジング４１は、任意のクリップ、留め金、圧入、または摩擦接続などの他の接続手段によって互いに係合してもよい。例えば、ドックハウジング４１は、パーソナリティモジュールハウジング１１のリップ１１９または他の突出部もしくは刻み目と係合するように構成された１つまたは複数のばね仕掛けの留め金またはクリップを備えてもよい。
【００５２】
この書面による説明は、本発明を開示するために最良の形態を含んで例を使用し、さらに当業者が本発明を製造し使用することを可能にする。ある特定の用語は、簡潔さ、明瞭性、および理解のために使用されている。そのような用語は、説明のためにのみ使用されており、広義に解釈されることを意図したものであるため、従来技術の要件を超えてそこから不必要な限定が推論されてはならない。本発明の特許可能な範囲は、特許請求の範囲によって定義され、かつ当業者が想到する他の実施例を含むことができる。そのような他の実施例は、特許請求の範囲の文言と異ならない特徴もしくは構造要素を有する場合、または特許請求の範囲の文言と実質的な差のない等価の特徴もしくは構造要素を含む場合、特許請求の範囲内にあることが意図されている。
【符号の説明】
【００５３】
１  インターフェースシステム
３  カテーテル、生理学的データ取得装置
３ａ  第１のカテーテルタイプ
３ｂ  第２のカテーテルタイプ
４  ケーブル
５  接続端部
５ａ  接続端部
５ｂ  接続端部
６  生理学的データ取得装置
８  インターフェースモジュール
１０  パーソナリティモジュール
１０ａ  第１のパーソナリティモジュール
１０ｂ  第２のパーソナリティモジュール
１０ｃ  第３のパーソナリティモジュール
１１  パーソナリティモジュールハウジング
１２  患者モニタレシーバ
１２ａ  レシーバ
１２ｂ  レシーバ
１２ｃ  カテーテル接続
１３  ピンレシーバ
１４  単一カテーテルレシーバ
１６  信号処理ユニット
１６ａ  信号処理ユニット
１６ｂ  信号処理ユニット
１７ａ  フィルタ
１７ｂ  フィルタ
１８ａ  増幅器
１８ｂ  増幅器
１９  アナログ−デジタル（Ａ／Ｄ）変換器
２０  コンピューティングシステム
２１  処理システム
２２  記憶システム
２４  電力管理モジュール
２６  ドックコネクタ
２６ａ  ドックコネクタ
２６ｂ  ドックコネクタ
２６ｃ  ドックコネクタ
２７  デジタル接続
２８  アナログ接続
２９  電力接続
４０  ドック
４１  ドックハウジング
４２  信号処理ユニット
４６  マルチモーダル接続ポート
４６ａ  マルチモーダル接続ポート
４６ｂ  マルチモーダル接続ポート
４６ｃ  マルチモーダル接続ポート
４７  デジタル接続
４８  アナログ接続
４９  電力接続
５０  コンピューティングシステム
５１  処理システム
５２  記憶システム
５４  電力管理モジュール
５８  伝達手段
６０  ベースユニット
６２  コンピューティングシステム
６３  通信インターフェース
６４  処理システム
６５  記憶システム
６７  ユーザインターフェース
８０  中央レビューシステム
８２  コンピューティングシステム
８７  ユーザインターフェース
９１  電源ボタン
９２  インジケータライト
９３  インジケータライト、エラーライト
９５  ＥＣＧレシーバポート
９７  圧力レシーバポート
１００  インターフェースモジュール接続領域／インターフェースモジュール部分
１０３  ＳＴＩＭ入力
１０４  補助入力
１１１  上面
１１４  単一レシーバ
１１４ａ  第１の専用のカテーテルレシーバ
１１４ｂ  第２の専用のカテーテルレシーバ
１１４ｃ  第３の専用のカテーテルレシーバ
１１５  脚部
１１６  底面
１１７  凹部分
１１８  凹縁部
１１９  リップ
１４１  本体部分
１４２  緊急刺激コネクタ
１４４  プラットフォーム部分
１４５  隆起部分
１４６  トラック
２１０  パーソナリティモジュール
２１０ａ  パーソナリティモジュール
２１０ａ’  パーソナリティモジュール
２１０ｂ  パーソナリティモジュール
２４０  アナログドック
２５８  伝達ケーブル
２５９  ベースコネクタ
３１０  パーソナリティモジュール
３１０ａ  第１のパーソナリティモジュール
３１０ｂ  第２のパーソナリティモジュール
３１０ｃ  第３のパーソナリティモジュール
３４０  デジタルドック
３５８  伝達ケーブル
３５９  ベース接続
Ａ１〜Ａ７  アナログレシーバ
Ｄ１〜Ｄ３  無線デジタルレシーバ
【図１】
2020022735.tif 000003
【図２Ａ】
2020022735.tif 000004
【図２Ｂ】
2020022735.tif 000005
【図３Ａ】
2020022735.tif 000006
【図３Ｂ】
2020022735.tif 000007
【図３Ｃ】
2020022735.tif 000008
【図４Ａ】
2020022735.tif 000009
【図４Ｂ】
2020022735.tif 000010
【図４Ｃ】
2020022735.tif 000011
【図５Ａ】
2020022735.tif 000012
【図５Ｂ】
2020022735.tif 000013
【図６Ａ】
2020022735.tif 000014
【図６Ｂ】
2020022735.tif 000015
【図６Ｃ】
2020022735.tif 000016
【図７Ａ】
2020022735.tif 000017
【図７Ｂ】
2020022735.tif 000018
【図７Ｃ】
2020022735.tif 000019
【外国語明細書】
2020022735000001.pdf